(57)【要約】【課題】本発明によれば、点検を効率よく行うことができるとともに、誤動作を防止することができる誘導灯装置を提供する。【解決手段】本実施形態によれば、本実施形態によれば、受信部７３が送信部７２よりも周枠部９１の奥側になるように設けられているため、送信部７２から点検結果を送信するための信号が誤って受信部７３側に入射することがない。したがって、点検終了にもかかわらず、再び制御ユニット１９が点検を開始するような誤動作を防ぐことができる。これにより、本来寿命ではないバッテリ２０を寿命と判断してしまう誤診断がない。【選択図】図４
2007087806.tif 000002
【特許請求の範囲】
【請求項１】
光源と；
バッテリと；
周枠部を有し、この周枠部の少なくとも一方の開口部側に誘導表示体を有する器具本体と；
常時には商用電源からの給電によって光源を点灯させるとともに、非常時にはバッテリからの給電により光源を点灯させて誘導表示体を照明する点灯ユニットと；
周枠部の表面よりも内側に設けられ、外部の送信機から点検開始信号及び点検結果確認信号を受信する受信部と；
受信部を介して点検開始信号が入力するとバッテリからの給電で光源を点灯させる点検モードとなるように点灯ユニットを制御する点検制御部と；
受信部よりも周枠部の表面側に位置するように設けられ、点検結果確認信号を受信部で受信後に点検制御部での点検結果を送信する送信部と；
を具備していることを特徴とする誘導灯装置。
【請求項２】
受信部は、周枠部の表面側から連続する筒状の導入部を介して配設されていることを特徴とする請求項１記載の誘導灯装置。
【発明の詳細な説明】
【技術分野】
【０００１】
本発明は、誘導灯装置に関する。
【背景技術】
【０００２】
従来、誘導灯装置は、常時に商用電源から給電されることで光源が点灯し、さらに、常時は、商用電源からの電力によりバッテリの充電が行われている。そして、商用電源からの電源の給電が遮断された非常時には、バッテリからの給電により光源が点灯するようになっている。
【０００３】
このように、誘導灯装置は、非常時において人を誘導できるよう確実に光源が点灯することが最も重要であるので、定期的に諸事項を点検することが義務付けられているものである。
【０００４】
この定期的に点検を行う事項の一つに、バッテリからの電力供給によって所定時間（例えば２０分間）光源が点灯するかという点検（以下、「非常点検」という。）を誘導灯装置の点検スイッチを操作することで行うことが知られている。そして、このような非常点検は、点検スイッチを操作するとバッテリの寿命を検出し、バッテリが交換時期であると判断されるとバッテリの交換を促すことでバッテリユニットからの電力供給によって所定時間光源が点灯することを維持する技術である（例えば特許文献1参照）。
【０００５】
一方、本願出願人は、特許文献１記載のような点検スイッチを用いた非常点検であっては、点検作業者が点検スイッチを直接操作しなくてはならないという煩雑さを軽減するために外部の送信機であるリモコン端末等を用いた非常点検に関する技術を出願している。これによると、外部送信機からの点検指令により演算制御装置が自動的に非常点検モードに切換え、バッテリ電圧等を検出するので、点検作業が簡素化できるというものである（例えば特許文献２参照）。
【特許文献１】特開平６−３２８６０１号公報
【特許文献２】特開２００３−９２０１３号公報
【発明の開示】
【発明が解決しようとする課題】
【０００６】
このような特許文献２記載の技術は、非常点検の開始命令の他、その点検結果についても送信機を用いて受信することができるものである。したがって、送信機からの非常点検の開始信号を受けられる範囲が広いことは好適であるし、さらに、誘導灯装置からの点検結果の返信を受信器で受信できる範囲が広いことは点検作業の簡素化において好適である。
【０００７】
一方、外部の送信機からの点検開始信号が無いにも関わらず、演算制御装置が自動的に非常点検モードに切換えることは避けなければならない。
【０００８】
すなわち、送信部から送信される信号が受信部に誤って入射してしまうと再び非常点検のモードになってしまう虞があり、このような場合は、充分な充電が行えてないバッテリであるため、当該バッテリは寿命であると誤った判断がなされる虞がある。
【０００９】
また、例えば、光源の高周波ノイズの影響を受けて、誤動作（誤受信）して非常点検モードになってしまった場合に、停電等が発生すると、誘導灯装置が所定時間非常点灯を維持することができなくなる虞もある。
【００１０】
したがって、必要な点検を実施することは重要であるが、必要以上に点検を行うことは、好ましいものではない。
【００１１】
本発明は上記に鑑みなされたものであり、点検を効率よく行うことができるとともに、誤動作を防止することができる誘導灯装置を提供することを目的とする。
【課題を解決するための手段】
【００１２】
請求項１に記載の誘導灯装置によれば、光源と；バッテリと；周枠部を有し、この周枠部の少なくとも一方の開口部側に誘導表示体を有する器具本体と；常時には商用電源からの給電によって光源を点灯させるとともに、非常時にはバッテリからの給電により光源を点灯させて誘導表示体を照明する点灯ユニットと；周枠部の表面よりも内側に設けられ、外部の送信機から点検開始信号及び点検結果確認信号を受信する受信部と；受信部を介して点検開始信号が入力するとバッテリからの給電で光源を点灯させる点検モードとなるように点灯ユニットを制御する点検制御部と；受信部よりも周枠部の表面側に位置するように設けられ、点検結果確認信号を受信部で受信後に点検制御部での点検結果を送信する送信部と；を具備していることを特徴としている。
【００１３】
本発明及び以下の発明において、特に指定しない限り用語の定義および技術的意味は次による。
【００１４】
光源は、点光源、線状光源および面光源等いかなる形態のものであってもよく、さらに加えると蛍光ランプ、ＬＥＤおよび有機ＥＬ等の如何なる発光作用を奉するものであってもよい。
【００１５】
また光源は、後述する器具本体内のみならず器具本体外に設けられるような構成であってもよく、要するに誘導表示体を照明するように構成されていれば如何なる形態であってもよい。
【００１６】
器具本体は、外形が矩形、正四角形、多角形および円形等のいずれであってもよく、周枠部を有するものであれば如何なる形態であってもよい。なお、周枠部は、連続して一体の枠部を形成するものの他、例えば一般的に３：１と呼ばれている誘導灯装置のように、一体ではないものの結果的に器具本体の周枠を形成するような部材で構成されているものも含まれる。
【００１７】
誘導表示体は、光源からの照射光により誘導表示体のシンボルが視認できるように形成されているものであるが、光源からの照射光は直接的または間接的のいずれでもあってもよい。
【００１８】
受信部は、器具本体の周枠部の表面側から見て、器具本体の内側に埋め込まれているように位置しているものである。
【００１９】
送信部は、例えば、周枠部の表面側から露出する形態で配設されている状態であってもよいし、周枠部から若干奥まった状態で設けられている状態であってもよい。すなわち、受信部よりも周枠部の表面側に設けられていれば特に限定しない。
【００２０】
なお「点検モード」とは、非常点検、光源の点灯状態点検、光源の寿命点検、電源端子台と電源線との接続状態点検およびその他の所望の点検事項であって、特に点検事項が限定されることはなく、使用形態に応じて適宜の事項の点検がなされれればよいものである。
【００２１】
請求項１の発明によれば、例えば、外部の送信機を用いて点検を行う場合には、周枠部の表面側から内側に配設されている受信部を目標に作業者が当該送信機から点検モード開始信号を送信する。次に、この信号が受信部で受信されると点検制御部が点検モードとなるように点灯ユニットを制御し、点検制御部の点検結果を例えば記憶部等に記憶される。そして、送信機からの点検結果確認信号を受信部で受信すると、記憶部等に記憶されている点検結果を送信部から外部へ送信し、当該信号を送信機で受信して点検結果に関する情報を送信機で把握することができる。
【００２２】
このとき、受信部は、送信部よりも周枠部の奥側になるように設けられているため、送信部から送信される信号が誤って受信部に受信されることを防ぐことができる。また、受信部は周枠部よりも奥側に設けられているので、光源からの照射光が受信部に受信されることを防ぐことができる。
【００２３】
さらにまた、上記のように誤動作を防止しているため、送信部と受信部とを近接配置することが可能であり、送信部と受信部とと配設するための特別なスペースが小さくて済むので、器具本体が大形化することを防ぐことができ、かつ、既存の器具本体に配置しやすいので、汎用性を高めることができる。
【００２４】
請求項２に記載の誘導灯装置によれば、請求項１記載の誘導灯装置において、受信部は、周枠部の表面側から連続する筒状の導入部を介して配設されていることを特徴とする。
【００２５】
導入部は、周枠部の表面側から受信部に向けて連続するように形成されており、例えば外部の送信機から送信される信号がその側壁で反射されるようになっているものである。なお筒状とは、円筒状又は多角筒状のいずれでもよい。
【００２６】
本発明によれば、送信機から送信される信号を直接受信部で受信することもできるし、送信機から送信される信号を直接受信部で受信することができない場合でも、導入部の側壁で反射された送信機からの信号を受信部で受信することもできる。したがって、受信部が周枠部より奥側に配置されていたとしても、受信部で受信可能な範囲を広げることができる。
【発明の効果】
【００２７】
請求項１記載の発明によれば、受信部と送信部とを備えても、送信部の信号によって受信部が誤動作してしまうことを防ぐことができるとともに、光源からの照射光によって受信部が誤動作してしまうことを防ぐことができるので、点検を効率よく行うことができるとともに、信頼性の高い誘導灯装置を提供することができる。
【００２８】
請求項２記載の発明によれば、請求項１記載の発明に加えて、受信部は、周枠部の表面側から連続する筒状の導入部を介して配設されているため、受信部が周枠部よりも奥側に配置されていたとしても、受信部で受信可能な範囲を広げることができ、点検の効率を向上することができる。
【発明を実施するための最良の形態】
【００２９】
本発明の一実施形態を図面を参照して説明する。図１は第一実施形態の誘導灯装置を示した一部切欠き断面正面図、図２は本実施形態の誘導灯装置の斜視図、図３は本実施形態の誘導灯装置の送受信ユニットを示す説明図、図４は本実施形態の要部を示す拡大断面図、図５は本実施形態の誘導灯装置の回路構成図である。
【００３０】
誘導灯装置１は、器具本体９、点灯ユニット収納ボックス２、光源３、バッテリ２０、誘導表示体８、筐体５０、送受信ユニット７０等を具備しているものであって、天井または壁面に取付けられるものである。
【００３１】
器具本体９は、周枠部９１を有しており、その周枠部９１の一方側には開口部９８が形成され、他方側には底板９９が形成されている。
【００３２】
また器具本体９の周枠部９１の底辺９１Ａには第一、第二、第三および第四の孔部９２Ａ，９２Ｂ、９３，９４が形成されている。
【００３３】
また器具本体９の周枠部９１と底板９９とで形成された空間には電気部品収納部９５が形成されており、この収納部９５内に後述する点灯ユニット収納ボックス２、バッテリ２０および筐体５０が収納配置される。
【００３４】
また器具本体９の底板９９には点灯ユニット収納ボックス２の上方に壁面側から挿入される電源線の挿通用の電源線挿通孔９６が形成されており、同じく底板９９には誘導灯装置１を壁面に取付ける際に用いる取付用孔９７が形成されている。
【００３５】
光源３は、冷陰極蛍光ランプであって、誘導表示体８の上方に光源ホルダ３１によって位置するように設けられている。なお、この光源ホルダ３１は、両端部にソケット３２を具備し、さらに光源３の一部を覆うように反射板３３が形成されているものである。
【００３６】
誘導表示体８は、表面に避難方向を示すシンボルが表示されるように形成されるものであって、本実施形態においては、その内部に図示しない導光板を有し、その導光板を重なるようにシンボルが印刷等された表示板を設けているものである。そして、上記導光板の一端部側から上記した光源３の出射光を入射させてシンボルを照明／表示させるものである。
【００３７】
点灯ユニット収納ボックス２は、内部に後述する点灯ユニット１０等、光源３の点灯装置、バッテリ２０の充電回路及び種々の制御を行う制御部等が収納されている。そして、この点灯ユニット収納ボックス２はネジ２１により器具本体９に固定されている。
【００３８】
バッテリ２０は、器具本体９の周枠部９１の底辺９１Ａであって、電気部品収納部９５側に位置するように底辺９１Ａに載置されている。そして、図示しない配線によって点灯ユニット収納ボックス２内の点灯ユニット１０と電気的接続がなされている。
【００３９】
筐体５０は、図１，２に示したように、その底部５８から露出するように押圧式の点検スイッチ５が設けられているとともに、底部５８には報知部としてのＬＥＤ７とが設けられている。
【００４０】
また筐体５０は、器具本体９の底辺９１Ａから電気部品収納部９５内において上方側へ立ち上がっているガイド壁５３に係合することで器具本体９に固定されている。そして、筐体５０の点検スイッチ５およびＬＥＤ７は、器具本体９の底辺９１Ａの第三および第四
【００４１】
の孔部９３，９４から外報へ臨むように配設される。
【００４２】
なお、上記バッテリ２０、筐体５０及び後述する送受信ユニット７０は、誘導灯装置の仕様に応じて適宜の位置に設けることができるものである。
【００４３】
送受信ユニット７０は、図３に示したように、その底部７１から露出するように送信部７２が設けられているとともに、底部７１から奥側に受信部７３が設けられている。そして、送信部７２および受信部７３は、図３に示したように送受信ユニット７０の底部７１において、区画された領域に収納されているものである。
【００４４】
また、送受信ユニット７０は、図１、４に示したように、器具本体９の底辺９１Ａに載置して固定されている。そして、図４に示すように、送信部７２は底辺９１Ａの第一の孔部９２Ａと対向するように配設されつつ、表面９１Ｂからは若干奥まった位置に配設されている。同様に、受信部７３も底辺９１Ａの第二の孔部９２Ｂと対向するように配設されつつ、表面９１Ｂからは受信部７３よりも奥まった位置に配設されている。
【００４５】
このとき、送信部７２は、図４に示したように、送信部７２から送信される信号の範囲（指向角）が器具本体９の底辺９１Ａ及び第一の穴部９２Ａによって妨げられないような位置となるように設けられている。これにより、器具本体９の底辺９１Ａから若干奥側に送信部７２が位置しても送信可能な範囲が狭くなることはない。
【００４６】
また受信部７３は、器具本体９の第二の孔部９２Ｂ及び受信部収納部７６の各筒状に形成された導入部７７を有している。この導入部７７は、その側壁で外部の送信機であるリモコン端末６０からの赤外線を反射するようになっているものである。
【００４７】
そして筐体５０と送受信ユニット７０とは、配線５１、７８を介して点灯ユニット収納ボックス２内の点灯ユニット１０と電気的接続がなされているものである。
【００４８】
次に本実施形態の誘導灯装置１の回路構成について図５を参照して説明する。
【００４９】
点灯ユニット１０は、常用点灯回路１４、バッテリ回路１５、発振制御部１６、インバータ回路１７及び制御ユニット１９等からなっており、商用電源１１からの電力は整流回路１２に入力され、トランス１３を介して常用点灯回路１４およびバッテリ回路１５に入力される。そして、常用点灯回路１４は発振制御部１６により制御され、トランス１を介して入力された電力をインバータ回路１７で高周波電力に変換して光源３に点灯電力を供給する。
【００５０】
また、発振制御部１６は、制御ユニット１９の点灯制御部１９Ａからの制御指令に基づいて制御され、常用点灯モードのときに常用点灯回路１４により光源３を高周波点灯させる。なお、図示しないが、点検スイッチ５も点灯ユニット１０に接続されている。
【００５１】
一方、バッテリ回路１５は、商用電源１１の非常時にバッテリ２０からの電源をインバータ回路１７を介して光源３に給電して光源３を点灯させるものであり、常用点灯モードのときには、トランス１３からの電力をバッテリ２０に充電している。そして、商用電源１１が停電等の非常時には、点灯制御部１９Ａは、バッテリ回路１５に動作指令を出力してバッテリ２０の充電電力をインバータ回路１７に供給させる。これにより、商用電源１１の停電時にはバッテリ２０からの充電電力がインバータ回路１７で高周波変換されて光源３に給電される。これにより、商用電源１１が停電した場合であっても誘導灯装置１の光源３の点灯を継続できるようにしている。
【００５２】
点検ユニット部１８は、外部の送信機であるリモコン端末６０からの点検開始指令の信号を受信する受信部７２と、当該点検結果を送信する送信部７３が内蔵されているものである。そして、リモコン端末６０からの点検開始信号が受信部６で受信された場合、点検ユニット１８を介して点検開始指令が点検制御部１９Ｂに入力されるので、点検制御部１９は非常点検モードとなるように点灯制御部１９Ａの制御を行う。
【００５３】
そして、非常点検モードとなった点灯制御部１９Ａは、発振制御部１６に対して常用点灯回路１４からの電力供給よって光源３が点灯されないように指令を出力すると共に、バッテリ回路１５のバッテリ２０からインバータ回路１７に充電電力の供給をするように動作指令を出力する。これにより、模擬停電状態となって非常点検モードとなる。そして、所定時間（例えば２０分）経過後または所定時間経過中にバッテリ電圧およびランプ点灯状況等の検出し、その検出結果を記憶手段６１に記憶する。
【００５４】
非常点検モード終了後においては、点灯制御部１９Ａが発振制御部１６に対して動作指令を出力して常用点灯回路１４を動作させると共に、バッテリ２０の放電を停止させ常用点灯モードに復帰させることとなる。
【００５５】
さらに非常点検モード終了後は、リモコン端末６０の情報取得命令信号（点検結果を確認するための信号）を受信部７２で受信すると、記憶部６１に記憶された点検結果が送信部７３から出力されるようになっている。そして、点検結果がリモコン送信機６０の表示部などに表示されて、作業者が点検結果の確認を行うことができるものとなる。
【００５６】
なお本実施形態は、発振制御部１６がトランス１３の作動を停止させることで非常点検モードとなる形態であるが、例えば常用点灯回路１４は動作しながらも光源３はバッテリ２０からの電力供給により点灯するような制御形態にすることもできる。
【００５７】
本実施形態によれば、受信部７３が送信部７２よりも周枠部９１の奥側になるように設けられているため、送信部７２から点検結果を送信するための信号が誤って受信部７３側に入射することがない。したがって、点検終了にもかかわらず、再び制御ユニット１９が点検を開始するような誤動作を防ぐことができる。これにより、本来寿命ではないバッテリ２０を寿命と判断してしまう誤診断がない。
【００５８】
また、受信部７３は周枠部９１の底辺９１Ａよりも奥側に設けられているので、誘導表示体８の上部に配設される光源３からの照射光が受信部７３に受信されることを防ぐことができるため、光源３の影響による制御ユニット１９の誤動作を防ぐことができる。
【００５９】
さらにまた、上記のように誤動作を防止しているため、送信部７２と受信部７２とを近接配置することが可能であり、送信部７２と送信部７３と配設するための特別なスペースが小さくて済み、器具本体９が大形化することを防ぐことができ、かつ、既存の器具本体に配置しやくなって、汎用性を高めることができる。
【００６０】
さらにまた、リモコン端末器６０から送信される信号を直接受信部７３で受信することができないような角度からリモコン端末器６０を操作した場合でも、導入部７７に進入した赤外線が導入部７７の側壁で反射して受信部７３に入射することで、受信部７３が受信することもできる。したがって、受信部７３が周枠部９１より奥側に配置されていたとしても、受信部７３で受信可能な範囲を広げることができるため、点検作業を効率よく行うことができる。
【００６１】
さらにまた、送受信ユニット７０の送信部収納部７５から送信部７２の先端が突出しているが、器具本体９の第一の孔部９２Ａからは送信部が突出しないように配設されているため、送受信ユニットの位置合わせが行いやすいとともに、誘導灯装置１が設置された仕様状態において、送信部７２が外的要因（誘導灯装置１の清掃時等）によって破損し難くなっているので、点検作業の効率化に加えて装置の信頼性及び汎用性を高めることができる。
【図面の簡単な説明】
【００６２】
【図１】本実施形態の誘導灯装置を示した一部切欠き断面正面図
【図２】本実施形態の誘導灯装置の斜視図
【図３】本実施形態の誘導灯装置の送受信ユニットを示す説明図
【図４】本実施形態の要部を示す拡大断面図
【図５】本実施形態の誘導灯装置の回路構成図
【符号の説明】
【００６３】
３・・・光源、５・・・点検スイッチ、９・・・器具本体、１０・・・点灯ユニット、２０・・・バッテリ、７２・・・受信部、７３・・・送信部、９１・・・周枠部
【図１】
2007087806.tif 000003
【図２】
2007087806.tif 000004
【図３】
2007087806.tif 000005
【図４】
2007087806.tif 000006
【図５】
2007087806.tif 000007